(57)【要約】      （修正有）【課題】巻きずれの発生を抑制することにより、図柄層と射出成形金型とを所定の位置関係に正確に合わせることができる転写シートの提供。【解決手段】基体シート２１と、前記基体シートの長手方向に部分的に形成された巻きずれ防止層２２とを備え、前記巻きずれ防止層が形成される部分の厚さを前記転写シート内で最も厚くし、更に、巻きずれ防止層と同じ厚さの図柄層２３を巻きずれ防止層と並列して形成し、巻きずれ防止層と図柄層とが同一の材料からなる長尺状の転写シート。【選択図】図４
2010120227.tif 000002
【特許請求の範囲】
【請求項１】
長尺状の転写シートにおいて、基体シートと、前記基体シートの長手方向に部分的に形成される巻きずれ防止層とを備え、前記巻きずれ防止層が形成される部分の厚さが前記転写シート内で最も厚くなることを特徴とする長尺状の転写シート。
【請求項２】
前記巻きずれ防止層と並列して形成され、かつ前記巻きずれ防止層と同じ厚さで形成される図柄層を備えた請求項１記載の転写シート。
【請求項３】
前記巻きずれ防止層が、前記図柄層と同一の材料からなる請求項１から２記載の転写シート。
【請求項４】
長尺状の転写シートの製造工程において、前記基体シートの上に部分的に前記巻きずれ防止層を形成する第一工程と、前記基体シートと前記巻きずれ防止層の上に金属蒸着層を形成する第二工程と、を少なくとも備えた長尺状の転写シートの製造方法
【発明の詳細な説明】
【技術分野】
【０００１】
この発明は転写シートに関し、特に樹脂成形品の表面に絵柄を連続的に付与するときに使用する長尺状の転写シートに関する。
【背景技術】
【０００２】
携帯電話などの通信機器や自動車外装パーツといった樹脂成形品の表面に装飾を加えた加飾成形品を作成する場合、その製造方法として成形同時転写装置を用いることがある。
以下に、成形同時転写装置で加飾成形品を作成する方法について説明する。
【０００３】
図１７は、長尺状の転写シートをロール状に巻いたときの斜視図、図１８は、図１７で示した転写シートのＸＶＩＩ−ＸＶＩＩＩ線に沿って切断した場合の断面図、図１９は、長尺状の転写シートを用いて加飾成形品を作成するときの成形同時転写装置の断面図、図２０は、長尺状の転写シートをロール状に巻いて得られるロール状の転写シートが巻きずれを生じたときのロール状の転写シートの斜視図である。
【０００４】
図１７、図１８を参照して、長尺状の転写シート５５は、基体シート２１、図柄層２３および接着層２８から構成される。
【０００５】
基体シート２１は、図柄層２３や接着層２８をシート上に保持するための基材であり、図柄層２３は、成形樹脂の表面を装飾する層であり、接着層２８は、転写シートと溶融樹脂とを一体化して、加飾成形品を得るとき、図柄層２３と成形樹脂の表面とを接着する層である。
【０００６】
図１９を参照して、成形同時転写装置５０は、送り装置６０、射出成形金型７０、および巻取装置８０から構成されている。
【０００７】
送り装置６０は、送り出しローラ６１と、任意の数のガイドローラ６２、６３から構成されており、その装置内においては、図１７で示したようなロール状に巻き取られた長尺状の転写シート５５が、送り出しローラ６１に設置されている。
【０００８】
射出成形金型７０は、固定型７１と可動型７２からなり、可動型７２が固定型７１と近接する方向、または、それと離反する方向に移動することによって型閉じ状態、型開き状態にできると共に、固定型７１と可動型７２とのキャビティ面とによって形成されるキャビティ空間に転写シート５５を配置した後、溶融樹脂を射出できる構成となっている。
【０００９】
巻取装置８０は、射出成形金型７０内に溶融樹脂を射出したのち、転写シート５５を巻き取る装置であり、巻取装置８０内に送られてきた転写シート５５を巻き取る巻取ローラ８１と、複数のガイドローラ８２、８３、８４、８５、８６とから構成されている。
【００１０】
上記からなる成形同時転写装置５０を用いて、加飾成形品を作成する際には、送り出しローラ６１から、ガイドローラ６２、６３を介して、転写シート５５を射出成形金型７０にまで移動させ、前記図柄層２３と射出成形金型７０とを所定の位置関係に位置合わせした後、射出成形金型７０を型締めする。そして、射出成形金型７０内に溶融樹脂を射出し、転写シート５５と溶融樹脂とを一体化させて、一体化成形品を得たのち、射出成形金型７０の固定型７１と可動型７２を型開きしながら、転写シート５５の基体シート２１部分のみを一体成形品から剥離させる。これにより、転写シート５５の基体シート２１部分以外が成形樹脂に転写された加飾成形品を得ることができる（たとえば、特許文献１参照）。
【特許文献１】特開平４−１５８０１５号公報
【発明の開示】
【発明が解決しようとする課題】
【００１１】
しかし、ロール状の転写シート５５を成形同時転写装置まで輸送するとき、または成形同時転写装置５０にセッティングするとき、ロール状の転写シート５５に衝撃が加わると、ロール状の転写シート５５に巻きずれが生じる場合がある。図２０を参照して、この巻きずれが生じると、ロール状の転写シート５５を巻き解いて、転写シート５５を送り装置６０内から巻取装置８０内まで送り出すときに、転写シート５５は、本来の送り方向から傾いて送り出されてしまう。
【００１２】
そして、転写シート５５が、本来の送り方向から傾いて送り出されると、転写シート５５内に形成されている図柄層２３も本来の送り方向から傾いて送り出されるため、転写シート５５内に形成された図柄層２３と射出成形金型７０とを、所定の位置関係に正確に位置合わせすることが、難しくなり、成形同時転写装置５０を使用して得られる加飾成形品において、その加飾成形品の形状と転写された絵柄が同調した審美性のある加飾成形品を得ることが困難となるといった問題があった。
【００１３】
また、図柄層２３と射出成形金型７０とを所定の位置関係に無理やり位置合わせしようとすると、転写シート５５の一部にしわが生じ、このしわが生じた転写シート５５と溶融樹脂とを一体化すると、その加飾成形品にも、しわが転写されてしまい、審美性のある加飾成形品を得ることができないといった問題があった。
【課題を解決するための手段】
【００１４】
この発明は、上記のような課題を解決するためになされたもので、長尺状の転写シート５５をロール状に巻いたロール状の転写シートにおいて、その軸方向に衝撃が加わっても、巻きずれの発生を抑制する転写シートを提供することを目的とする。
【００１５】
上記の目的を達成するために、請求項１記載の発明は、長尺状の転写シートにおいて、基体シートと、前記基体シートの長手方向に部分的に形成される巻きずれ防止層とを備え、前記巻きずれ防止層が形成される部分の厚さが、前記転写シート内で最も厚くなるよう構成されたものである。
【００１６】
このように構成すると、転写シートをロール状に巻いたとき、転写シートの巻きずれ防止層の形成された部分が、ロール状の転写シート内で最も厚くなる。その結果、転写シートをロール状に巻き取ったときに、転写シートに生じる巻き取りの力を、巻きずれ防止層の形成された部分に集中的に作用させることができる。
【００１７】
請求項２記載の発明は、請求項１の発明において、巻きずれ防止層と並列して立設し、かつ巻きずれ防止層と同じ厚さで形成される図柄層を備えるよう構成されたものである。
【００１８】
このように構成すると、長尺状の転写シートをロール状に巻いたとき、転写シート内に生じる巻き取りの力を、巻きずれ防止層と図柄層とにバランスよく、かつ集中的に作用させることができる。
【００１９】
請求項３記載の発明は、請求項１から請求項２記載の発明において、巻きずれ防止層が図柄層と同一の材料からなるよう構成されたものである。
【００２０】
このように構成すると、基体シートの上に形成される巻きずれ防止層と図柄層とに使用するインクを同一のものとすることができる。
【００２１】
請求項４記載の発明は、長尺状の転写シートの製造方法において、前記基体シートの上に部分的に前記巻きずれ防止層を形成する第１工程と、前記基体シートと前記巻きずれ防止層の上に金属蒸着層を形成する第２工程と、を少なくとも備えるよう構成されている。
【００２２】
このように構成すると、巻きずれ防止層の形成された部分に巻き取りの力が集中的に作用したロール状の転写シートを、その金属蒸着層を形成する工程で使用することができる。
【発明の効果】
【００２３】
以上説明したように、請求項１の発明は、長尺上の転写シートをロール状に巻き取ったとき、転写シートに生じる巻き取りの力を巻きずれ防止層の形成された部分に集中的に作用させることができるので、ロール状の転写シートに衝撃が加わったときであっても、巻きずれを抑制することができるようになる。
【００２４】
請求項２の発明は、長尺状の転写シートをロール状に巻いたとき、転写シートに生じる巻き取りの力を、巻きずれ防止層と図柄層とにバランスよく、かつ集中的に作用させることができるので、ロール状の転写シートに非常に大きな衝撃が加わった場合であっても、ロール状の転写シートに巻きずれが発生するのを抑制することができる。
【００２５】
請求項３の発明は、請求項１から請求項２記載の発明の効果に加えて、基体シート上に形成される図柄層と、巻きずれ防止層とに使用するインクを同一のものとすることができるので、巻きずれ防止層と図柄層とを印刷法を用いて作成する場合、同一の版で一度に作成することができる。
【００２６】
請求項４の発明は、巻きずれ防止層の形成された部分に巻き取りの力を集中的に作用させることができるので、金属蒸着層を基体シート上に設けるとき、減圧条件下にロール状の転写シートを置いた場合であっても、ロール状の転写シートに巻きずれが生じるのを抑制できる
【発明を実施するための最良の形態】
【００２７】
以下に、本発明にかかる実施の形態を図面に基づいてさらに詳細に説明する。なお、本発明の実施例に記載した部材や部分の寸法、材質、形状、その相対位置などは、とくに特定的な記載がない限りは、この発明の範囲をそれらのみに限定する趣旨のものではなく、単なる説明例にすぎない。
【００２８】
図１は、この発明の第１の実施の形態の転写シート２０の製造方法の概略工程を示した図である。図１を参照して、長尺状の基体シート２１は、搬送ローラ３１に巻回されている。
【００２９】
基体シート２１は、図柄層２３や巻きずれ防止層２２をシート上に支持するためのものであって合成樹脂等から構成される。基体シート２１には、例えば、ポリプロピレン系樹脂、ポリエチレン系樹脂、ポリアミド系樹脂、ポリエステル系樹脂、アクリル系樹脂、ポリ塩化ビニル系樹脂などの樹脂シート、アルミニウム箔、銅箔などの金属箔、グラシン紙、コート紙、セロハンなどのセルロース系シート、あるいは以上の各シートの複合体など、基体シート２１として離型性を有するものを使用することができる。
【００３０】
基体シート２１は、１つまたは複数の印刷機械３０を経由して、巻取ローラ３２に巻き取られる。この印刷機械３０は、巻きずれ防止層２２、図柄層２３、離型層２４、ハードコート層２５、アンカー層２６などの各層を構成する印刷インキを基体シート２１の上に形成する版胴３００と、印刷インキと基体シート２１を完全に密着させる圧胴３０１とから構成される。基体シート２１は、印刷インキの着肉した版胴３００と、圧胴３０１との間を通過することによって、基体シート２１の上に巻きずれ防止層や、必要に応じて、離型層２４、図柄層２３、ハードコート層２５、アンカー層２６などの層が形成される。そして、これらの層を形成した後に、第二工程に移行する。
【００３１】
巻きずれ防止層２２に用いる材質としては、ポリビニル系樹脂、ポリアミド系樹脂、ポリアクリル系樹脂、ポリウレタン系樹脂、ポリビニルアセタール系樹脂、ポリエステルウレタン系樹脂、セルロースエステル系樹脂、アルキッド樹脂などの樹脂をバインダーとし、適切な色の顔料または染料を着色剤として含有する着色インキを用いるとよい。また、金属発色させる場合には、アルミニウム、チタン、ブロンズ等の金属粒子やマイカに酸化チタンをコーティングしたパール顔料を用いることもできる。巻きずれ防止層の形成方法には、オフセット印刷法、グラビア印刷法、グラビアコート法、ロールコート法、コンマコート法などのコート法を用いることができる。
【００３２】
図柄層２３は、基体シート２１の長手方向に連続的または断続的に形成される。図柄層２３に用いる材質は、特に限定されないが、巻きずれ防止層２２と同一の材質から構成されることが好ましい。巻きずれ防止層２２と図柄層２３とが同一の材質から構成される場合、図柄層２３と巻きずれ防止層に使用する印刷インクを同一のものとすることができる。その結果、巻きずれ防止層２２と図柄層２３とを同一の版で一度に作成することができるので、それぞれを別途、異なる印刷機械で作成する必要がなくなり、転写シート２０を作成するときの生産性が向上するからである。
【００３３】
必要に応じて、基体シート２１の剥離性を向上させるために、基体シート２１の上に全面的に離型層２４が設けられてもよい。離型層２４は、成形同時転写後に、転写シート２０から基体シート２１を剥離する際、基体シート２１とともにハードコート層２５から離型する層である。離型層２４の材質としては、メラミン系樹脂、シリコーン系樹脂、フッ素系樹脂、セルロース誘導体、尿素系樹脂、ポリオレフィン系樹脂、パラフィン系樹脂およびこれらの複合物などを用いることができる。離型層２４の形成方法としては、ロールコート法、スプレーコート法などのコート法、グラビア印刷法、スクリーン印刷法などの印刷法があげられる。
【００３４】
必要に応じて、離型層２４が形成された基体シート２１の上に、ハードコート層２５が形成されていてもよい。ハードコート層２５は、転写後、基体シート２１を成形樹脂から剥離したときに、加飾成形品の表面に配置される層であり、図柄層２３に加飾されたデザインを保護するために一定以上の硬度を有する層である。
【００３５】
ハードコート層２５には、シアノアクリレート系やウレタンアクリレートなどの電離放射線硬化性樹脂や、アクリル系やウレタン系などの熱硬化性樹脂を用いることができるが、特に限定されない。
【００３６】
図２は、巻きずれ防止層２２が形成された基体シート２１上に金属蒸着層２７を形成する工程を示した図である。図２を参照して、基体シート２１は、炉４０の中に設置された搬送ローラ４１によって送り出されたのち、巻取ローラ４２で巻き取られるように構成されている。
【００３７】
金属蒸着層２７の形成方法は、まず炉４０内を減圧条件下にした後、るつぼ４５内に設置された金属塊４６を熱し蒸発させて、蒸発させた金属を基体シート２１の上に蒸着させることにより行う。金属蒸着層２７の基体シート２１上への形成が終了すると、次の工程に移行する。
【００３８】
この基体シート２１には、第一工程で巻きずれ防止層２２が形成されているため、金属蒸着層２７を基体シート２１に形成している間であっても、巻き取りの力は巻きずれ防止層２２に集中的に作用している。そうすると、巻き取りの力が、基体シート２１に作用しにくい減圧条件下であるこの工程において、ロール状の基体シート２１に軸方向の力が作用しても、このロール状の基体シート２１に、巻きずれが発生するのを抑制できる。その結果、巻きずれが生じにくくなり、基体シート２１が、本来の位置から傾いて搬送ローラ３１から、巻取ローラ３２まで搬送されることが少なくなるので、基体シート２１上に均一に金属蒸着層２７を設けることができる。この他の金属蒸着層２７の形成方法としては、パッターリング法、イオンプレーティング法、鍍金法などが挙げられる。
【００３９】
金属蒸着層２７には、表現したい金属光沢色に応じて、アルミニウム、ニッケル、金、白金、クロム、鉄、銅、スズ、インジウム、銀、チタニウム、鉛、亜鉛などの金属、これらの合金または化合物を使用することができる。
また、金属蒸着層２７を基体シート２１の上に部分的に形成するには、シーライト法、またはパスター法を用いるとよい。
【００４０】
シーライト法とは、第一工程で水溶性樹脂層を部分的に形成し、蒸着後、水洗により水溶性樹脂層とその上に形成された不要な金属薄膜部位を除去し、部分的に金属薄膜を形成する方法である。ここで水溶性樹脂層の材質としては、たとえば、ポリビニルアルコール、デンプン、アルギド、エポキシ、ポリウレタンなどに代表される水溶性樹脂をバインダーとするインキが挙げられる。また形成方法としては、グラビア印刷法、フレキソ印刷法、スクリーン印刷法などの印刷法が挙げられる。
【００４１】
パスター法とは金属薄膜を形成した後、部分的に金属薄膜の上に耐アルカリ性樹脂層を形成し、その後のアルカリ洗浄により金属薄膜を部分的に形成する方法である。ここで耐アルカリ性樹脂層の材質としては塩化ビニル-酢酸ビニル共重合体が挙げられる。耐アルカリ性樹脂層の形成方法としては、グラビアコート法、ロールコート法、コンマコート法などのコート法、グラビア印刷法、スクリーン印刷法などの印刷法がある。
【００４２】
図３は、巻きずれ防止層２２と金属蒸着層２７とが形成された基体シート２１に接着層２８を形成する工程を示した図である。
【００４３】
図３を参照して、基体シート２１は、搬送ローラ３１から印刷機械３０を経由して、巻取ローラ３２に巻き取られる。この印刷機械３０は、構成は、第一工程で用いたものと同様であり、版胴３００と圧胴３０１とから構成されている。すなわち、基体シート２１が、この送り出しローラから版胴３００と圧胴３０１との間を通過することによって、基体シート２１の上に接着層２８が形成される。この工程によって転写シート２０が完成する。
【００４４】
接着層２８は、基体シート２１上に全面的または部分的に形成されるものである。すなわち、接着層２８を形成したい箇所全面であれば、全面に接着層２８を形成すればよいし、接着層２８を形成したい箇所が局所的であれば、その箇所にのみ接着層２８を形成すればよい。
【００４５】
接着層２８には、被加飾の素材に適した感熱性あるいは感圧性の樹脂を適宜使用する。たとえば、被加飾の材質がアクリル系樹脂の場合はアクリル系樹脂を用いるとよい。また、被加飾の材質がポリフェニレンオキシド・ポリスチレン系樹脂、ポリカーボネート系樹脂、スチレン共重合体系樹脂、ポリスチレン系ブレンド樹脂の場合は、これらの樹脂と親和性のあるアクリル系樹脂、ポリスチレン系樹脂、ポリアミド系樹脂などを使用すればよい。さらに、被加飾の材質がポリプロピレン樹脂の場合は、塩素化ポリオレフィン樹脂、塩素化エチレン−酢酸ビニル共重合体樹脂、環化ゴム、クマロンインデン樹脂が使用できる。
【００４６】
必要に応じて、金属蒸着層２７の上にアンカー層２６を形成してもよい。アンカー層２６３３は、各層の間の密着性を向上させる層である。アンカー層２６の材質としては、二液性硬化ウレタン樹脂、熱硬化ウレタン樹脂、メラミン系樹脂、セルロースエステル系樹脂、塩素含有ゴム系樹脂、塩素含有ビニル系樹脂、アクリル系樹脂、エポキシ系樹脂、ビニル系共重合体樹脂などを使用するとよい。アンカー層２６の形成方法としては、グラビアコート法、ロールコート法、コンマコート法などのコート法、グラビア印刷法、スクリーン印刷法などの印刷法がある
【００４７】
ここで、上述した転写シート２０の詳細について説明する。
【００４８】
図４（ａ）は、この発明の第一の実施形態の転写シート２０の平面図であり、図４（ｂ）は、図４（ａ）で示した転写シート２０のＩＶ−ＩＶ線に沿って切断した場合の断面図である。図４（ａ）、図４（ｂ）を参照して、この発明の転写シート２０は、基体シート２１と、基体シート２１の上に形成される離型層２４と、離型層２４の上に形成されるハードコート層２５と、ハードコート層２５の上に形成されるアンカー層２６と、アンカー層２６の上に部分的に形成される巻きずれ防止層２２と、アンカー層２６の上に部分的に形成され、巻きずれ防止層２２とは独立して形成される図柄層２３と、図柄層２３の上に形成される金属蒸着層２７と、巻きずれ防止層２２と金属蒸着層２７とアンカー層２６に上に形成される接着層２８とを備えている。
【００４９】
巻きずれ防止層２２は、基体シート２１の長手方向に部分的に形成され、巻きずれ防止層２２が形成される部分の厚さが前記転写シート２０内で最も厚くなるよう形成されている。
【００５０】
図５（ａ）は、図４（ａ）で示した転写シート２０をロール状に巻いたときの斜視図であり、図５（ｂ）は、図５（ａ）のＶ−Ｖ線に沿って切断した際の断面の拡大図である。図５（ｃ）は、接着層２８と、その上に巻き重ねられる転写シート２０とが接する部分Ａの拡大図である。
【００５１】
図５（ａ）を参照して、この発明の転写シート２０は、基体シート２１と、前記基体シート２１の長手方向に部分的に形成される巻きずれ防止層２２とを備え、前記巻きずれ防止層２２が形成される部分の厚さが前記転写シート２０内で最も厚くなるよう形成されているので、この発明の転写シート２０をロール状に巻いたとき、巻きずれ防止層２２の形成された部分が、ロール状に巻いた転写シート２０内において最も分厚くなる。
【００５２】
そうすると、図５（ｂ）を参照して、転写シート２０をロール状に巻き重ねたときに生じる巻き取りの力Ｆが、転写シート２０の他の部分に分散しないで、巻きずれ防止層２２が形成された部分のみに集中的にかかるようになる。その結果、巻きずれ防止層２２の形成された部分には、通常、転写シート２０に作用する力と比べて、非常に大きな巻き取りの力が作用するようになる。
【００５３】
その結果、このロール状の転写シート２０に対し、その軸方向に力ｆが作用した場合であっても、巻きずれする方向とは反対方向に巻き取りの力Ｆが、大きな摩擦力として作用するので、ロール状の転写シート２０内に巻きずれが生じるのを抑制することができる。
【００５４】
すなわち、転写シート２０が巻きずれ防止層２２を有することによって、転写シート２０をロール状に巻いたとき、巻き取りの力が集中的に巻きずれ防止層２２に作用するので、ロール状の転写シート２０の軸方向に外力が作用したときであっても、巻きずれが生じるのを抑制することができる。
【００５５】
図５（ｃ）を参照して、転写シート２０において、軸方向に力が作用しても、ロール状の転写シート２０に巻きずれが生じないよう、基体シート２１の巻きずれ防止層２２が形成された面と反対側の表面２１０と、接着層２８の表面２８０とは、互いに粗面であることが好ましい。
【００５６】
前記表面２１０と前記表面２８０との表面が互いに粗面であると、この発明の転写シート２０をロール状に巻いたときに、前記表面２１０と前記表面２８０とが噛み合うので、ロール状の転写シート２０に、軸方向の力が作用しても、転写シート２０に生じる巻きずれを抑制できるからである。
【００５７】
図６は、第一の実施の形態の変形例の転写シート２０の平面図であって、図４（ｂ）に対応するものであり、図７は、第一の実施の形態の変形例の転写シート２０をロール状に巻いたとき、その断面の拡大図であり、図５（ｂ）に対応するものである。
【００５８】
図６を参照して、この発明の第一の実施の形態の転写シート２０の変形例は、巻きずれ防止層２２と図柄層２３とが、基体シート２１の長手方向に部分的に形成され、巻きずれ防止層２２と、図柄層２３、金属蒸着層２７とが形成される部分の厚さが同一であって、かつ前記転写シート２０内で最も厚くなるよう形成されている。
【００５９】
図７を参照して、この転写シート２０をロール状に巻くと、図柄層２３と金属蒸着層２７とが形成された部分と、巻きずれ防止層２２が形成された部分との厚さが、ロール状の転写シート２０内において、最も厚くなる。そうすると、転写シート２０をロール状に巻き重ねたときに生じる巻き取りの力が、図柄層２３と金属蒸着層２７が形成された部分と、巻きずれ防止層２２が形成された部分とに作用するようになるので、巻きずれ防止層２２の形成された部分に必要以上の力が作用し、その周辺部分にしわが生じるのを抑制することができる。
【００６０】
その結果、この発明の転写シート２０を、成形同時転写装置に適用して得られる加飾成形品は、意匠性に優れたものとなる。
【００６１】
図８、図９、図１０は、それぞれ第一の実施の形態の変形例の転写シート２０の平面図である。
【００６２】
図８を参照して、巻きずれ防止層２２の形状、形成位置は特に制限されない。すなわち、巻きずれ防止層２２は、転写シート２０の幅方向の端面付近に形成されていてもよいし、中央付近に形成されていてもよい。さらに、巻きずれ防止層２２は、図柄層２３と接するように形成されていてもよいし、図柄層２３と離間して形成されていてもよい。
【００６３】
図９、図１０をそれぞれ参照して、図柄層２３は連続的に形成されていてもよい。
【００６４】
図１１（ａ）は、この発明の第２の実施の形態による転写シート２０の平面図である。図１１（ｂ）は、図１１（ａ）で示した転写シート２０をロール状に巻き重ねたときの断面図であり、図５（ｂ）に対応するものである。この実施の形態による転写シート２０の基本的な構成は、先の第１の実施の形態によるものと同様であるので、ここでは、相違点についてのみ説明する。
【００６５】
図１１（ｂ）を参照して、この発明の第２の実施の形態の転写シート２０は、２つの巻きずれ防止層２２が、独立して基体シート２１の長手方向に連続的に形成され、前記２つの巻きずれ防止層２２の間に、図柄層２３が形成される。なお、巻きずれ防止層２２の膜厚は、図柄層２３より厚くなるよう形成されている。
【００６６】
図１１（ｃ）を参照して、このように構成すると、転写シート２０をロール状に巻き重ねたとき、転写シート２０の幅方向の両端に形成された巻きずれ防止層２２部分の厚さは、ロール状に巻いた転写シート２０内において最も厚くなる。
【００６７】
そうすると、転写シート２０をロール状に巻き重ねたとき、巻き取りの力は、巻きずれ防止層２２の形成された２つの部分に作用するようになるので、巻きずれ防止層２２の形成された部分に必要以上の力が作用し、その周辺部分にしわが生じるのを抑制することができる。
【００６８】
さらに、巻きずれ防止層２２の膜厚は、図柄層２３より厚く形成されているので、転写シート２０をロール状に巻いた場合、図柄層２３の形成された部分と、その上に巻き重ねられる転写シート２０とは接しない。そうすると、ロール状の転写シート２０の軸方向に、力が作用し、転写シート２０に巻きずれが生じた場合であっても、その上に巻き重ねられる転写シート２０によって、図柄層２３が擦られ、基体シート２１から図柄層２３が剥離されるのを防止することがきる。
【００６９】
さらに、この発明の転写シート２０をロール状に巻いても、図柄層２３の形成された部分と、その上に巻き重ねられる転写シート２０とは、接しないので、ロール状に巻いたこの転写シート２０を成形同時転写装置に設置し、巻き解いて使用するときに、接着層２８とともに、図柄層２３がその上に巻き重ねられていた転写シート２０によって基体シート２１から剥離されるのを防止することができる。
【００７０】
図１２は、第２の実施の形態の変形例の転写シート２０の平面図である。図１２を参照して、図柄層２３は連続的に形成されていてもよい
【００７１】
図１３（ａ）は、この発明の第３の実施の形態による転写シート２０の平面図であり、図１３（ｂ）は、図１３（ａ）で示した転写シート２０をロール状に巻き重ねたときの断面図であり、図５（ｂ）に対応するものである。この実施の形態による転写シート２０の基本的な先の第１の実施の形態によるものと同様であるので、ここでは、相違点についてのみ説明する。
【００７２】
図１３（ａ）、図１３（ｂ）をそれぞれ参照して、この発明の第３の実施の形態の転写シート２０は、巻きずれ防止層２２が、独立して基体シート２１の長手方向に断続的に形成され、巻きずれ防止層２２が形成される部分の厚さが、転写シート２０内で最も厚くなるよう形成されている。
【００７３】
この発明の転写シート２０の巻きずれ防止層２２は、断続的に基体シート２１の上に形成されているので、第１の実施の形態の発明よりも、巻きずれ防止層２２に使用するインキの量を低減でき、生産性よく転写シート２０を作成することができる。また、巻きずれ防止層２２は、基体シート２１上に断続的に形成されているので、転写シート２０をロール状に巻いたとき、巻きずれ防止層２２が形成されていない部分と、その上に巻き重ねられる転写シート２０の巻きずれ防止層２２が形成されている部分とが、ファスナーのように噛み合い、ロール状に巻かれた転写シート２０に軸方向の力が作用しても、巻きずれが生じるのを防止することができる。
【００７４】
図１４は、第３の実施の形態の変形例の転写シート２０の平面図である。図１４を参照して、図柄層２３は連続的に形成されていてもよい
【００７５】
図１５（ａ）は、この発明の第４の実施の形態による転写シート２０の平面図であり、図１５（ｂ）は、図１５（ａ）で示した転写シート２０をロール状に巻き重ねたときの断面図であり、図５（ｂ）に対応するものである。この実施の形態による転写シート２０の基本的な構成は、先の第１の実施の形態、第２の実施の形態、または第３の実施の形態によるものと同様であるので、ここでは、相違点についてのみ説明する。
【００７６】
図１５（ａ）、図１５（ｂ）を参照して、この発明の第４の実施の形態の転写シート２０は、２つの巻きずれ防止層２２が独立して基体シート２１の長手方向に断続的に形成され、前記２つの巻きずれ防止層２２で形成される空間内に、図柄層２３が形成され、巻きずれ防止層２２の膜厚が、図柄層２３より厚くなるよう形成されている。
【００７７】
この発明の転写シート２０の巻きずれ防止層２２は、断続的に基体シート２１の上に形成されており、第２の実施の形態の発明よりも、巻きずれ防止層２２に使用する材料の量を低減できるので、生産性よく転写シート２０を作成することができる。
【００７８】
さらに、巻きずれ防止層２２の膜厚は、巻きずれ防止層２２の間に形成されている図柄層２３より、厚く形成されているので、転写シート２０をロール状に巻いた場合、巻きずれ防止層２２のみが、その上に巻き重ねられる転写シート２０と接する。その結果、当該図柄層２３と、その上に巻き重ねられる転写シート２０とは、接しないので、ロール状の転写シート２０の軸方向に、力が作用し、転写シート２０に巻きずれが生じた場合であっても、その上に巻き重ねられる転写シート２０によって、図柄層２３が擦られ、基体シート２１から図柄層２３が剥離されるのを防止することがきる。
【００７９】
さらに、この発明の転写シート２０をロール状に巻いたとき、図柄層２３の形成された部分と、その上に巻き重ねられる転写シート２０とは、接しないので、ロール状に巻いたこの発明の転写シート２０を成形同時転写装置に設置し、巻き解いて使用するときに、図柄層２３がその上に形成された接着層２８とともに、その上に巻き重ねられていた転写シート２０によって基体シート２１から剥離するのを防止することができる。
【００８０】
図１６は、第４の実施の形態の変形例の転写シート２０の平面図である。図１６を参照して、図柄層２３は連続的に形成されていてもよい
【産業上の利用可能性】
【００８１】
本発明は、携帯電話などの通信機器、自動車外装パーツ、自動車内部の情報機器、家電製品など、各種成形品において好適に用いることができ、産業上有用なものである。
【図面の簡単な説明】
【００８２】
【図１】本発明に係る転写シートの製造方法の一実施例を示す断面図である。
【図２】本発明に係る転写シートの製造方法の一実施例を示す断面図である。
【図３】本発明に係る転写シートの製造方法の一実施例を示す平面図と、その断面図である。
【図４】本発明に係る転写シートの一実施例を示す平面図とその断面図である。
【図５】本発明に係る転写シートの一実施例を示す斜視図と断面図である。
【図６】本発明に係る転写シートの一実施例を示す断面図である。
【図７】本発明に係る転写シートの一実施例を示す断面図である。
【図８】本発明に係る転写シートの一実施例を示す平面図である。
【図９】本発明に係る転写シートの一実施例を示す平面図である。
【図１０】本発明に係る転写シートの一実施例を示す平面図である。
【図１１】本発明に係る転写シートの一実施例を示す平面図と、その断面図である。
【図１２】本発明に係る転写シートの一実施例を示す平面図である。
【図１３】本発明に係る転写シートの一実施例を示す平面図と、その断面図である。
【図１４】本発明に係る転写シートの一実施例を示す平面図である。
【図１５】本発明に係る転写シートの一実施例を示す平面図と、その断面図である。
【図１６】本発明に係る転写シートの一実施例を示す平面図である。
【図１７】従来技術に係る転写シートの一実施例を示す斜視図である。
【図１８】従来技術に係る転写シートの一実施例を示す断面図である。
【図１９】従来技術に係る成形同時転写装置の一実施例を示す断面図である。
【図２０】従来技術に係る転写シートの一実施例を示す斜視図である。
【符号の説明】
【００８３】
２０  転写シート
２１  基体シート
２２  図柄層
２３  巻きずれ防止層
【図１】
2010120227.tif 000003
【図２】
2010120227.tif 000004
【図３】
2010120227.tif 000005
【図４】
2010120227.tif 000006
【図５】
2010120227.tif 000007
【図６】
2010120227.tif 000008
【図７】
2010120227.tif 000009
【図８】
2010120227.tif 000010
【図９】
2010120227.tif 000011
【図１０】
2010120227.tif 000012
【図１１】
2010120227.tif 000013
【図１２】
2010120227.tif 000014
【図１３】
2010120227.tif 000015
【図１４】
2010120227.tif 000016
【図１５】
2010120227.tif 000017
【図１６】
2010120227.tif 000018
【図１７】
2010120227.tif 000019
【図１８】
2010120227.tif 000020
【図１９】
2010120227.tif 000021
【図２０】
2010120227.tif 000022